(57)【要約】【課題】ＵＨＦ帯オールチャンネルに対応して、リターンロスの特性及びアイソレーションの特性の改善を図り得る信号処理装置を提供する。【解決手段】伝送線路１１，１２が交差する右コーナ部分の伝送線路１１の入力ポート１１ｂの接続部１３を、伝送線路１２の平面に対して９０度折り曲げ、左コーナ部分の伝送線路１２の終端部１２ｂの接続部を、伝送線路１１の平面に対して９０度折り曲げることで、伝送線路１１，１２の交差部分の影響を無くすようにしている。【選択図】      図１
2010166232.tif 000002
【特許請求の範囲】
【請求項１】
一端にデジタル放送信号の入力ポートを接続しかつ他端に当該デジタル放送信号の出力ポートを接続する第１の伝送線路と、
前記デジタル放送信号の分配処理または合成処理を実行すべく前記第１の伝送線路に結合し、一端にデジタル放送信号の入力ポートまたは出力ポートを接続する第２の伝送線路とを具備し、
前記第１の伝送線路の一端側と前記第２の伝送線路の一端側との交差点を第１のコーナとし、前記第１の伝送線路の他端側と前記第２の伝送線路の他端側との交差点を第２のコーナとし、前記第１のコーナの前記第１の伝送線路のポート接続部は前記第２の伝送線路の平面に対して直交する方向に折り曲げ形成され、前記第２のコーナの前記第２の伝送線路のポート接続部は前記第１の伝送線路の平面に対して直交する方向に折り曲げ形成されることを特徴とする信号処理装置。
【請求項２】
前記第１のコーナの前記第１の伝送線路のポート接続部は、前記第２の伝送線路の平面に対して折り曲げ角度を９０°とし、
前記第２のコーナの前記第２の伝送線路のポート接続部は、前記第１の伝送線路の平面に対して折り曲げ角度を９０°とすることを特徴とする請求項１記載の信号処理装置。
【発明の詳細な説明】
【技術分野】
【０００１】
この発明は、例えば地上デジタル放送等の放送信号を送信する送信局に用いられる信号処理装置に関する。
【背景技術】
【０００２】
デジタル送信機用合成器またはデジタル送信機用分配器のような信号処理装置においては、ＵＨＦ(Ultra High Frequency)帯域オールチャンネル(470MHz〜890MHz)に対応し、さらに高い耐電力性も要求されている。また、小型化、低コストのために、アイソレータを用いないことが多い。そこで、以前からアイソレータを兼用する３ｄＢカップラを用いる手法が提案されている。
【０００３】
しかしながら、３ｄＢカップラを構成する際、結合線路の端部分を同一平面上に適当な角度に曲げて５０Ωの伝送線路で入出力ポートへ接続するため、先端の交差部分の影響によりインピーダンス不整合が生じ、リターンロス及びアイソレーションの改善を図ることが困難である。また、この影響により、広帯域にわたる線路パターン補正による改善が困難になる。
【０００４】
なお、この種に関連する従来技術として、特許文献１に、マクロストリップ線路の各ポートにインピーダンス整合用の切り欠きを設けて、高周波数帯域で使用しても方向性及びアイソレーション特性を良好に確保できるようにした方向性結合器が示されている。但し、この特許文献１に記載のものは、方向性結合器を高周波数用に構成する場合に、回路設計や方向性結合器としての基本特性が得られなくなることを問題としており、リターンロスとアイソレーションの調整に関するものではない。
【先行技術文献】
【特許文献】
【０００５】
【特許文献１】特開平７−２２６６０９号公報。
【発明の概要】
【発明が解決しようとする課題】
【０００６】
以上のように、３ｄＢカップラを用いる手法では、リターンロスとアイソレーションを調整することが困難である。
【０００７】
そこで、この発明の目的は、ＵＨＦ帯オールチャンネルに対応して、リターンロスの特性及びアイソレーションの特性の改善を図り得る信号処理装置を提供することにある。
【課題を解決するための手段】
【０００８】
上記目的を達成するために、この発明に係る信号処理装置は、一端にデジタル放送信号の入力ポートを接続しかつ他端に当該デジタル放送信号の出力ポートを接続する第１の伝送線路と、デジタル放送信号の分配処理または合成処理を実行すべく第１の伝送線路に結合し、一端にデジタル放送信号の入力ポートまたは出力ポートを接続する第２の伝送線路とを具備し、第１の伝送線路の一端側と第２の伝送線路の一端側との交差点を第１のコーナとし、第１の伝送線路の他端側と第２の伝送線路の他端側との交差点を第２のコーナとし、第１のコーナの第１の伝送線路のポート接続部は第２の伝送線路の平面に対して直交する方向に折り曲げ形成され、第２のコーナの第２の伝送線路のポート接続部は第１の伝送線路の平面に対して直交する方向に折り曲げ形成される。
【０００９】
この構成によれば、第１のコーナの第１の伝送線路のポート接続部を、第２の伝送線路の平面に対して直交する方向に折り曲げ、第２のコーナの第２の伝送線路のポート接続部を、第１の伝送線路の平面に対して直交する方向に折り曲げることで、第１の伝送線路と第２の伝送線路との交差部分の影響を無くすようにし、これによりＵＨＦ帯オールチャンネルに対応して、リターンロスの特性及びアイソレーションの特性を大きく改善できる。
【発明の効果】
【００１０】
以上詳述したようにこの発明によれば、ＵＨＦ帯オールチャンネルに対応して、リターンロスの特性及びアイソレーションの特性の改善を図り得る信号処理装置を提供することができる。
【図面の簡単な説明】
【００１１】
【図１】この発明の一実施形態における分配器の要部の斜視図。
【図２】上記図１に示した伝送線路の端部の詳細を示した斜視図。
【図３】以前に用いられていた耐電力用分配器の要部の斜視図。
【図４】以前の帯域幅及びリターンロスを説明するために示す特性図。
【図５】同実施形態における帯域幅及びリターンロスを説明するために示す特性図。
【発明を実施するための形態】
【００１２】
以下、この発明の実施形態について図面を参照して詳細に説明する。  
図１は、この発明の一実施形態における分配器の要部の斜視図である。図２は、伝送線路の端部の詳細を示した斜視図である。
【００１３】
図１において、箱状の筐体１００内で、地上デジタル放送信号の分配処理を実行すべく伝送線路１１，１２は、その中央結合部分が上下平行に配置し、そして全体形状に着目すると、交差している状態である。なお、筐体１００の周りは遮蔽されている。
【００１４】
まず、伝送線路１１，１２について説明する。  
伝送線路１１，１２は、単体ではＳ字形である。また、伝送線路１１，１２は、上面から見た場合に、Ｘ字形であるように互いに逆向きで交差している。分配器として動作する場合は、伝送線路１１の一端には、ＵＨＦ帯の地上デジタル放送信号が入力される入力ポート１１ｂが設けられており、他端にはデジタル放送信号が出力される出力ポート１１ａが設けられる。
【００１５】
また、伝送線路１２の一端には、デジタル放送信号が出力される出力ポート１２ａが設けられる。なお、伝送線路１２の他端は、終端される。ここでは、終端される部分を終端部１２ｂと称する。
【００１６】
次に、伝送線路１１，１２の一端部の構造について説明する。ここでは、入力ポート１１ｂの接続部及び出力ポート１２ａの接続部を代表して説明する。  
伝送線路１１，１２は、入力ポート１１ｂの接続部１３が伝送線路１２の平面に対して９０度に折り曲げられる。この接続部１３は、上方から見た場合、Ｌ字形であり、水平な一片は入力ポート１１ｂに接続される。また、接続部１３には、基部１３ａに対し垂直に起立した垂直片が形成されている。さらに、基部１３ａには、リターンロスを良くするために、カット部１３ｂが形成されている。
【００１７】
一方、伝送線路１２の終端部１２ｂの接続部（図１では図示せず）も、上記接続部１３と同様に、Ｌ字形であり、水平な一片は終端部１２ｂに接続される。
【００１８】
次に、上記折り曲げ構造により得られるリターンロスについて説明する。  
以前は、耐電力用分配器は、図３に示すように、筐体２００内に設けられる伝送線路３１，３２にストリップ線路を用いている。これら伝送線路３１，３２は、同一平面上に結合線路と５０Ω伝送路で構築される。しかし、結合先端部の交差する部分によりインピーダンスが乱れて、図４に示すように、リターンロス及びアイソレーションを−２０ｄＢ以下に抑えることが困難である。
【００１９】
そこで、本実施形態では、伝送線路１１，１２の交差する右コーナ部分における伝送線路１１の入力ポート１１ｂの接続部１３を伝送線路１２の平面（図１中では上面を示す）に対して９０度に折り曲げるとともに、左コーナ部分における伝送線路１２の終端部１２ｂの接続部を伝送線路１１の平面（図１中では下面を示す）に対して９０度に折り曲げることで、左右コーナ部分の影響を無くすようにした。
【００２０】
これにより、リターンロス及びアイソレーションは、図５に示すように、−２０ｄＢ以下と大きく改善されることになる。
【００２１】
以上のように上記実施形態では、伝送線路１１，１２が交差する右コーナ部分の伝送線路１１の入力ポート１１ｂの接続部１３を、伝送線路１２の平面に対して９０度折り曲げ、左コーナ部分の伝送線路１２の終端部１２ｂの接続部を、伝送線路１１の平面に対して９０度折り曲げることで、伝送線路１１，１２の交差部分の影響を無くすようにしている。
【００２２】
従って、ＵＨＦ帯オールチャンネルに対応して、リターンロスの特性及びアイソレーションの特性を大きく改善できる。
【００２３】
なお、上記実施形態では、分配器を例に説明したが、合成器であってもよい。
【００２４】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００２５】
１１，１２…伝送線路、１１ａ，１２ａ…出力ポート、１１ｂ…入力ポート、１２ｂ…終端部、１３…接続部、１３ａ…基部、１３ｂ…カット部、１００，２００…筐体。
【図１】
2010166232.tif 000003
【図２】
2010166232.tif 000004
【図３】
2010166232.tif 000005
【図４】
2010166232.tif 000006
【図５】
2010166232.tif 000007